(57)【要約】【課題】  中継依頼受信が可能なファクシミリ装置において、予め受信局として使用可／不可を登録することにより、限られた電話番号しか受信局として使用できないようにして、送信のセキュリティの面を向上させたファクシミリ装置を提供すること。【解決手段】  ＦＡＸ：Ｂには、予め受信局ＦＡＸ：Ｃ、ＦＡＸ：Ｄの電話番号が登録されている。また、登録内容としては、登録番号、電話番号と受信局として使用可／不可を設定することができるようになっている。中継局は中継依頼受信を開始すると、指示された受信局の登録番号より、登録されているか否かと、登録されている場合は受信局として使用可となっているかを判断する。その結果、中継局より指示された受信局がすべて登録されていて、且つ受信局として使用可であった場合、ＣＦＲを返送する。一方、指示された受信局が未登録、または登録されていても受信局として使用不可の場合は通信を中断する。【選択図】     図３
2006087026.tif 000002
【特許請求の範囲】
【請求項１】
中継依頼受信可能なファクシミリ装置において、
相手先の電話番号と、中継依頼受信で受信局として指定されたときに使用可／不可を登録する操作部と、
前記操作部から登録された、相手先の電話番号と使用可／不可の設定を記憶する記憶手段と、
中継依頼受信時、前記記憶手段を検索することにより、中継依頼局より指示された受信局の使用可／不可を判断する判断手段とを備え、
この判断手段の判断結果が、使用可であった場合のみ受信局への中継同報送信を行うことを特徴とするファクシミリ装置。
【請求項２】
中継依頼受信可能なファクシミリ装置において、
相手先の電話番号と、中継依頼受信で受信局として指定されたときに使用を許可する中継依頼局のＲＴＩ（送信元名称）／ＣＳＩ（発信元ファクシミリ番号）を登録する操作部と、
前記操作部から登録された、相手先の電話番号と使用を許可するＲＴＩ／ＣＳＩを記憶する記憶手段と、
中継依頼受信時、前記記憶手段を検索することにより、中継依頼局のＲＴＩ／ＣＳＩにより指示された受信局の使用可／不可を判断する判断手段とを備え、
この判断手段の判断結果が、使用可であった場合のみ受信局への中継同報送信を行うことを特徴とするファクシミリ装置。
【請求項３】
中継依頼メール受信可能なファクシミリ装置において、
相手先の電話番号またはメールアドレスと、中継依頼メールで受信局として指定されたとき、使用を許可する中継依頼局のポーリングＩＤを登録する操作部と、
前記操作部から登録された、電話番号またはメールアドレスと、使用を許可するポーリングＩＤを記憶する記憶手段と、
中継依頼メール受信時、前記記憶手段を検索することにより、中継依頼局のポーリングＩＤより指示された受信局が使用可である否かを判断する判断手段と、
この判断手段の判断結果が、使用可であった場合のみ受信局への中継同報送信を行うことを特徴とするファクシミリ装置。
【発明の詳細な説明】
【技術分野】
【０００１】
本発明は、セキュリティを向上させた中継機能付きファクシミリ装置に関する。
【背景技術】
【０００２】
近年、ファクシミリ送信する際、他のファクシミリから受信したデータを中継して転送する機能を備えたファクシミリ装置が実用化されている。この機能を用いて、ファクシミリ送信するときは、送信データは、送信側から一旦中継機能を備えたファクシミリ装置を経由して、目的地である受信側へ送信するようになっている。
この中継機能を備えたファクシミリ装置を用いると、例えば、東京から大阪へ３通の送信があった場合、３通をまとめて大阪の中継ファクシミリ装置に送信し、この装置から市内通話で送信することで、通信費用を抑制する等のメリットがある。一方、送信データを中継するために、セキュリティの面では、充分注意する必要があった。
【特許文献１】特開２００２−２３７８４９
【０００３】
特許文献１には、中継転送要求メールの送信元アドレスが不正ユーザにより改竄された場合でも、中継転送処理受付用のメールアドレスが不正ユーザ側の装置に通知されないことにより、中継転送機能の悪用を防止する技術が開示されている。
【発明の開示】
【発明が解決しようとする課題】
【０００４】
ところで、現状の中継依頼受信が可能なファクシミリ装置においては、中継依頼局から指示される受信局は誰でも使用可となっている。そのため、セキュリティ面を考慮して、処理の安全を完全に確保するには、中継依頼受信機能を完全に禁止するしか方法がなかった。
そこで、本発明の第１の目的は、中継依頼受信が可能なファクシミリ装置において、予め受信局として使用可／不可を登録することにより、限られた電話番号しか受信局として使用できないようにして、送信のセキュリティの面を向上させたファクシミリ装置を提供することである。
本発明の第２の目的は、中継依頼受信が可能なファクシミリ装置において、予め受信局として使用できる中継依頼局のＲＴＩ（送信元名称）／ＣＳＩ（発信元ファクシミリ番号）を登録することにより、限られた中継依頼局しか受信局を使用することができないようにして、送信のセキュリティの面を向上させたファクシミリ装置を提供することである。
本発明の第３の目的は、中継依頼メール受信が可能なファクシミリ装置において、予め受信局として使用できる中継依頼局のポーリングＩＤを登録することにより、限られた中継依頼局しか受信局を使用することができないようにして、送信のセキュリティの面を向上させたファクシミリ装置を提供することである。
【課題を解決するための手段】
【０００５】
請求項１記載の発明では、中継依頼受信可能なファクシミリ装置において、相手先の電話番号と、中継依頼受信で受信局として指定されたときに使用可／不可を登録する操作部と、前記操作部から登録された、相手先の電話番号と使用可／不可の設定を記憶する記憶手段と、中継依頼受信時、前記記憶手段を検索することにより、中継依頼局より指示された受信局の使用可／不可を判断する判断手段とを備え、この判断手段の判断結果が、使用可であった場合のみ受信局への中継同報送信を行うことにより、前記第１の目的を達成する。
【０００６】
請求項２記載の発明では、中継依頼受信可能なファクシミリ装置において、相手先の電話番号と、中継依頼受信で受信局として指定されたときに使用を許可する中継依頼局のＲＴＩ（送信元名称）／ＣＳＩ（発信元ファクシミリ番号）を登録する操作部と、前記操作部から登録された、相手先の電話番号と使用を許可するＲＴＩ／ＣＳＩを記憶する記憶手段と、中継依頼受信時、前記記憶手段を検索することにより、中継依頼局のＲＴＩ／ＣＳＩにより指示された受信局の使用可／不可を判断する判断手段とを備え、この判断手段の判断結果が、使用可であった場合のみ受信局への中継同報送信を行うことにより、前記第２の目的を達成する。
【０００７】
請求項３記載の発明では、中継依頼メール受信可能なファクシミリ装置において、相手先の電話番号またはメールアドレスと、中継依頼メールで受信局として指定されたとき、使用を許可する中継依頼局のポーリングＩＤを登録する操作部と、前記操作部から登録された、電話番号またはメールアドレスと、使用を許可するポーリングＩＤを記憶する記憶手段と、中継依頼メール受信時、前記記憶手段を検索することにより、中継依頼局のポーリングＩＤより指示された受信局が使用可である否かを判断する判断手段と、この判断手段の判断結果が、使用可であった場合のみ受信局への中継同報送信を行うことにより、前記第３の目的を達成する。
【発明の効果】
【０００８】
請求項１記載の発明では、予め受信局として使用可／不可を登録することにより、中継依頼局より受信局として指定された場合、限られた電話番号しか受信局として使用できないようにして、セキュリティを向上させている。
【０００９】
請求項２記載の発明では、予め受信局として使用できる中継依頼局のＲＴＩ／ＣＳＩを登録することにより、限られた中継依頼局しか受信局を使用することができないようにして、セキュリティを向上させている。
【００１０】
請求項３記載の発明では、予め受信局として使用できる中継依頼局のポーリングＩＤを登録することにより、限られた中継依頼局しか受信局を使用することができないようにして、セキュリティを向上させている。
【発明を実施するための最良の形態】
【００１１】
以下、本発明の好適な実施の形態を図１ないし図６を参照して詳細に説明する。
図１は、本実施例に係るファクシミリ装置のシステムブロック図である。
この図に示すように、このファクシミリ装置は、システム制御部１、システムメモリ部２、読取部３、印刷部４、文書蓄積部５、通信制御部６、操作部７、電話番号管理部８、ネットワーク制御部９より構成されている。
システム制御部１は、システム全体を監視制御し、システムメモリ部２は、ファクシミリ装置に予め登録される情報や通信に必要なデータを一時格納する。読取部３は、原稿を読み取るもので、印刷部４は記録紙に画像を出力する。
文書蓄積部５は、読取部３より蓄積した原稿や、受信した文書、メール受信文書を格納するもので、通信制御部６は、Ｇ３／Ｇ４ファクシミリ通信制御、画情報の圧縮再生制御、モデム制御、ＮＣＵ制御などを行う。
操作部７は、ユーザが各種操作を行うもので、電話番号管理部８は、操作部７から登録された各種電話番号の管理を行う。また、ネットワーク制御部９は、ＬＡＮ（ローカル・エリア・ネットワーク）への接続を行い、インターネットＦＡＸの送受信を行うものである。
【００１２】
次に、図２を参照して中継依頼送信のプロトコルを説明する。図２は、中継依頼送信時の通信プロトコルを説明する図である。
中継依頼送信／受信の場合、中継局へ発呼して通信プロトコルの中で受信局に関する情報を通知する。この受信局情報については、予め中継局に登録された電話番号の登録番号などであり、ワンタッチ番号での指定：＃○○、短縮番号での指定：＃＊○○、グループ番号での指定：＃＊＊○○（○○は番号を示す）である。
中継局では指示された受信局が登録され、且つ使用可能であった場合、ＣＦＲ（コンファメーショントゥレシーブ）を返送する。一方、未登録または受信局として使用不可であった場合は通信を中断する。
【００１３】
次に、図３を参照して第１の実施例を説明する。
この実施例において、ファクシミリ装置ＦＡＸ：Ａは、中継依頼局のファクシミリ装置であり、中継局ＦＡＸ：Ｂは中継依頼を受けて指定された受信局への中継同報送信を行う中継局である。この中継局ＦＡＸ：Ｂには、予め受信局ＦＡＸ：Ｃ、ＦＡＸ：Ｄの電話番号が登録されている。また、登録内容としては、登録番号、電話番号と受信局として使用可／不可を設定することができるようになっている。
【００１４】
中継局は中継依頼受信を開始すると、指示された受信局の登録番号より、登録されているか否かと、登録されている場合は受信局として使用可となっているかを判断する。
その結果、中継局より指示された受信局がすべて登録されていて、且つ受信局として使用可であった場合、ＣＦＲ（コンファメーショントゥレシーブ）を返送する。一方、指示された受信局が未登録、または登録されていても受信局として使用不可の場合は通信を中断する。
【００１５】
次に、図４を参照して第２の実施例を説明する。
この実施例のファクシミリ装置ＦＡＸ：Ａは、中継依頼局のファクシミリ装置であり、中継局ＦＡＸ：Ｂは、中継依頼を受けて指定された受信局への中継同報送信を行う中継局である。この中継局ＦＡＸ：Ｂには、予め受信局ＦＡＸ：Ｃ、ＦＡＸ：Ｄの電話番語、登録番号、受信局として使用を許可する中継依頼局のＲＴＩ（送信元名称）／ＣＳＩ（発信元ファクシミリ番号）を登録することができる。
中継局は中継依頼受信を開始すると、指示された受信局の登録番号より、登録されているか否かと、登録されている場合は、中継依頼局のＲＴＩ／ＣＳＩが受信局として使用を許可されているかを判断する。
中継局より指示された受信局がすべて登録されていて、且つ中継依頼局のＲＴＩ／ＣＳＩが受信局として使用を許可されていた場合、ＣＦＲを返送する。一方、指示された受信局が未登録、または登録されていても中継依頼局のＲＴＩ／ＣＳＩが受信局として使用を許可されていなかった場合は通信を中断する。
【００１６】
次に、図５を参照して第３の実施例を説明する。
この実施例のファクシミリ装置ＦＡＸ：Ａは、中継依頼メール送信するファクシミリ装置であり、中継局ＦＡＸ：Ｂは中継依頼メールを受けて指定された受信局への中継同報送信を行う中継局である。この中継局ＦＡＸ：Ｂには、予め受信局ＦＡＸ：Ｃ、ＦＡＸ：Ｄの電話番号、登録番号、受信局として使用を許可する中継依頼局のポーリングＩＤを登録することができるようになっている。
そして、中継依頼をインターネットＦＡＸで行う。中継依頼メール受信の場合、通信プロトコルではなく、図６に示すメールボディ例のように中継を依頼する情報を設定する。
ここでポーリングＩＤが通知されるので、中継局ではこれを判断し、受信局として許可されているポーリングＩＤの場合は受信局への中継同報送信を行う。また、便宜上、受信局の宛先登録は電話番号としたが、中継同報送信をメール送信する場合はメール宛先でもよい。
【図面の簡単な説明】
【００１７】
【図１】本実施例に係るファクシミリ装置のシステムブロック図である。
【図２】中継依頼送信の通信プロトコル例を示した図である。
【図３】第１の実施例の処理を説明する図である。
【図４】第２の実施例の処理を説明する図である。
【図５】第３の実施例の処理を説明する図である。
【図６】メールボディ例を示した図である。
【符号の説明】
【００１８】
１    システム制御部
２    システムメモリ部
３    読取部
４    印刷部
５    文書蓄積部
６    通信制御部
７    操作部
８    電話番号管理部
９    ネットワーク制御部
【図１】
2006087026.tif 000003
【図２】
2006087026.tif 000004
【図３】
2006087026.tif 000005
【図４】
2006087026.tif 000006
【図５】
2006087026.tif 000007
【図６】
2006087026.tif 000008